(57)【特許請求の範囲】
【請求項１】
堆積された複数のカード類の上面に当接してカード類を繰り出す繰り出しローラと、当該繰り出しローラにより繰り出されたカード類が通過する隙間を有するゲートと、カード類を堆積する底板及びその底板を上方へ持ち上げる一つの弾性体よりなる堆積箱とを備えるカード類発行機構において、前記弾性体は異なる弾性係数から成る部分から構成され、前記堆積箱に前記カード類の前記ゲート側とは反対側の端部に接触するガイド板を設けることを特徴とするカード類発行機構。
【請求項２】
堆積された複数のカード類の上面に当接してカード類を繰り出す繰り出しローラと、当該繰り出しローラにより繰り出されたカード類が通過する隙間を有するゲートと、カード類を堆積する底板及びその底板を上方へ持ち上げるバネを設けた堆積箱とを備えるカード類発行機構において、前記バネはバネのピッチを任意のピッチで巻き疎密にし、前記堆積箱に前記カード類に接触するガイド板を設けることを特徴とするカード類発行機構。
【請求項３】
堆積された複数のカード類の上面に当接してカード類を繰り出す繰り出しローラと、当該繰り出しローラにより繰り出されたカード類が通過する隙間を有するゲートと、カード類を堆積する底板及びその底板を上方へ持ち上げるバネを設けた堆積箱を備えるカード類発行機構において、前記バネはバネのピッチを任意のピッチで巻き疎密にすることを特徴とするカード類発行機構。
【発明の詳細な説明】
【０００１】
【発明の属する技術分野】
本発明は、銀行などの金融機関等で用いられる自動取引装置に関し、特に、利用者が振込時に使用する振込券を発行する振込券発行機構等のカード類発行機構に関する。
【０００２】
【従来の技術】
銀行などの金融機関において、例えば振込券などのカード類を発行するカード類発行機構を備えた端末装置が普及してきている。
【０００３】
従来の端末装置におけるカード類発行機構においては、発行するカード類を積載した底板を上方に持ち上げるバネは、任意の範囲で押し上げ力を制御するために、なるべく自由長の長いバネを用いている。該バネを所定のスペースに収めるために、プーリを介し幾重かに折り曲げて取り付けている。
【０００４】
例えば、特開平9-120437号公報には、長いバネをプーリに沿って取り回し、底板昇降に必要なバネのストロークを確保したうえで、省スペース化をはかれるように工夫したものが開示されている。また、従来の堆積箱では堆積箱の上面にカードがあたることで、カードの上昇位置の上限を決定ものがある。
【０００５】
【発明が解決しようとする課題】
一般に振込券などのカード類を多数収納しておき利用者の要求によって発行するようなカード類発行機構においては、カード類の堆積期間が長期間に及ぶことが多いため収納してあるカード類が貼り付いたり、温度、湿度、カード製作誤差の影響を受けて、堆積したカードとカードの間における各摩擦係数がばらついてしまうことがある。
【０００６】
上述したような従来の繰り出し機構を用いたカード類発行機構の場合には、貼り付いたカード類が取り出しゲートにひっかかってしまい、スムーズにカード類を取り出せないという問題が生じる。また、バネを折り曲げて取り付けているために、バネの伸縮がスムーズに行われずに、底板を持ち上げる力が安定しないので、温度、湿度、カード製作誤差の影響を受けて多数枚繰り出しやジャムが発生してしまうという問題がある。以下にその理由を具体的に説明する。
【０００７】
まず、従来の振込券などのカード類発行機構の構造を図４を用いて説明する。同図において繰り出しローラ２は軸に固定されてカード類発行機構本体に取り付けられている。また、カード類取り出しゲート（以下単にゲートという）１は、繰り出されたカード類が一枚のみ通過できる幅の隙間を有する。カード類４は堆積箱１０に収納されている。カード類を堆積する底板１１は底板を上方に持ち上げるバネ１３により保持される。バネ１３はプーリ８，９を介して折り曲げて取り付けられている。
【０００８】
カード類４は、バネ１３の力により持ち上げられ、繰り出しローラ２に当接し、繰り出しローラ２が、モータ（図示せず）によって回転することによって、繰り出しローラ２がカード類３をゲート１に押し出し、ゲート１の隙間によって一枚ずつに分離するようになっている。
【０００９】
次に、上述した従来のカード類発行機構において、摩擦係数にばらつきが生じたり、貼り付いたカード類を繰り出す場合の問題点を説明する。堆積箱１０にセットされたカード類４は、バネ１３が絶えず底板１１を上方に持ち上げているため、上述したように、カード類４の上面は繰り出しローラ２に当接し、繰り出しローラ２が回転する時の摩擦力によってカード類４がゲート１に押し出され接触する。カード類４が繰り出しロー他１へ接触後に、カード類４が押し出されることでゲート１に設けられたカード１枚分の隙間により、一枚のカードが繰り出される。
【００１０】
しかしながら、カード類４が貼り付いた、または、カード間の摩擦係数が大きい場合にはカード間の摩擦抵抗力が大きく、繰り出しローラ２による摩擦力ではゲート１の隙間にカードをスムーズに送り込むことができない。
【００１１】
また、バネを折り曲げて取り付けている場合の問題点を説明する。バネ１３はプーリ８，９を介して折り曲げて取り付けられ、底板１１の昇降にあわせて伸縮する。しかしながら、プーリ部での抵抗が大きく、バネ１３の伸縮がスムーズに行われないため、カード類４を繰り出しローラ２に押し付ける力が安定せず、ひいては繰り出しローラ２により発生する摩擦力が安定せず。ゲート１の隙間にカードをスムーズに送り込むことができない。
【００１２】
以上に述べたような事情により、従来のカード類発行機構においては、カード類同士の間の摩擦係数が大きい場合には繰り出しミスが発生し装置が完全に停止してしまうなどの問題点があった。本発明の目的は、上記問題点を解消し、カード類が確実にゲートの隙間に送り込まれるような繰り出し機構を有するカード類発行機構を提供することにある。
【００１３】
【課題を解決するための手段】
本発明は、上記目的を達成するために、堆積された複数のカード類の上面に当接してカード類を繰り出す繰り出しローラと、繰り出しローラにより繰り出されたカード類が通過する隙間を有するゲートと、カード類を堆積する底板及びその底板を上方へ持ち上げる弾性体よりなる堆積箱とを備えるカード類発行機構において、堆積箱に堆積したカード類に対してゲートと対向する側のカード類の端部に当接するようにガイド板を設け、弾性体は不等間隔で弾性力を変えた構成とする。上記のような構成とすることで、カード類が貼り付いていたり、カード類間の摩擦係数が高くても、一枚ずつスムーズにゲートを通過させて繰り出すことができる。
【００１４】
弾性体は異なる弾性係数からなる部分より構成され、弾性体としてバネを用いたときは、バネのピッチを任意のピッチで巻き、不等間隔で巻くこととした。このような構成とすることで、底板上昇時に底板を持ち上げる力を任意に制御し、繰り出しローラとカード類の間に発生する摩擦力を向上させ、カードを安定してゲートの隙間に繰り出すことができる。弾性体としてバネ以外でも、任意の弾性力が得られるようにバネ係数を任意に設定できれば他の弾性体を用いてもよい。
【００１５】
【発明の実施の形態】
以下、本発明の実施の形態を説明する。
図３は、本発明に係るカード類発行機構の一実施例である振込券発行機構を有する現金自動取引装置における明細票発行部全体の側面概略図である。本明細票発行部は、カード類の一つとしての振込券を発行する振込券発行機構２０と磁気カード機構２２から構成されている。磁気カードを使用する場合には、磁気カード３３を磁気カード機構２２のカード出入口３０より取り入れ、トレー３１で読み取り部２５に搬送し、情報を読み取った後、返却するように構成されている。磁気カード機構２２は従来のものと同様でよく、詳細な説明は省略する。
【００１６】
振込券を発行する場合には、堆積箱１０より振込券４を繰り出しローラ２で一枚繰り出し、印字部２６で振込先などの必要な情報の印字を行い、前述の磁気カード機構２２に搬送し、磁気カード機構のトレー３１によってカード出入口３０まで搬送する。なお、同図において参照符号１１は底板、１３はバネであり、その他は図１，２，４と同一の参照符号を用いている。
【００１７】
次に、図１を用いて、本発明が適用される明細票発行装置内の振込券発行機構部における主要部分の詳細な構成を説明する。図１において、図２，３及び４と同じ物には同じ参照符号を付してある。振込券発行機構本体２０には、繰り出しローラ２が軸に固定して取り付けられ、繰り出し用モータ（図示せず）により、矢印Ａ方向に駆動される。ガイド板１５は堆積箱の後端の壁面に斜めに固定されている。
【００１８】
ゲート１の搬送部中央には、カード類が通過するための長方形の穴が設けられており、その穴の中央部の上下端には凸部１ａおよび１ｂが設けられている。凸部１ａ，１ｂの間の隙間の間隔ｔは、１枚の振込券（カード）だけが繰り出されるように、振込券（カード）１枚分程度の間隔となっている。
【００１９】
バネ１６は二つのプーリ８，９を介して折り曲げて取り付けられ、図５に示すように任意のピッチで不等間隔に巻かれている。つまり、本実施例で述べる弾性体としてのバネ１６は異なる弾性係数からなる部分から構成されている。例えば、プーリにあたらない部分のピッチに比べ、プーリにあたる部分のピッチを粗くする。このような構成にすると、プーリとの接触によるバネ１６に与える影響が軽減され、バネ１６がプーリ８、９により屈曲されて配された場合に比べて安定した弾性力を得ることが出来る。
【００２０】
次に、図１を用いて本発明のカード発行機構におけるバネ１６の機能を説明する。堆積箱１０に集積されているカード類４は、堆積箱１０の底板１１がバネ１６によって上方に持ち上げられることによって、繰り出しローラ２に圧接している。ゲート１は、カード類４の先端に当接するようになっている。繰り出しローラ２が矢印Ａ方向に回転すると、繰り出しローラ２の搬送力により、カード類４はゲート１に沿って凸部１ａ，１ｂの間に送られ、凸部１ａ，１ｂの隙間により一枚のみが分離して繰り出される。堆積しているカード類４の堆積枚数により底板１１の位置が変わり、バネ１６が伸縮する。従来のバネ１３を用いた場合には、図６に示した従来のバネのように、底板１１の位置により底板１１を持ち上げる力が安定せず、繰り出しを行うのに充分な力を発生しないことがあった。本発明のバネ１６を用いることで、本発明のように力が安定しカード類４が繰り出しローラ２に十分な力で当接する。このように本発明におけるバネ１６を用いることで、繰り出しローラ２によりカードを繰り出すのに充分な摩擦力が得られ、カード１がゲート１の隙間にスムーズに進入する。
【００２１】
次に、図２を用いて本発明のカード発行機構におけるガイド板の機能を説明する。堆積箱１０に集積されているカード類４は、堆積箱１０の底板１１がバネ１６によって上方に持ち上げられることによって、繰り出しローラ２に圧接している。ゲート１は、カード類４の先端に当接するようになっている。繰り出しローラ２が矢印Ａ方向に回転すると、繰り出しローラ２の搬送力により、カード類４はゲート１に沿って凸部１ａ，１ｂの間に送られ、凸部１ａ，１ｂの隙間により一枚のみが分離して繰り出される。最上部のカードが繰り出されると、バネ１６によりカード一枚分底板１１が上昇する。この時に、斜めのガイド板１５へカード後端が当接しているために上部のカード３ａ，３ｂは繰り出し方向に押し出され、堆積しているカードが斜めに捌かれ、最上部のカード３ａがゲート１の隙間にスムーズに進入する。ガイド板１５はカード類４がゲート１の隙間に向かうようにカード類の後端側に設けれれていればよい。ガイド１５の傾斜の始端は本発明の効果が得られる場所から開始していればよく、ゲート１の隙間と略等しい高さにおいて斜面がゲート１の隙間に対向していればよい。
【００２２】
以上に本発明によるガイド板とピッチを変更したバネを同時に実施した例を説明したが、一つの振込券発行機構において別々に実施しても個々の効果が得られることで振込券発行機構の性能が向上することは言うまでもない。
【００２３】
【発明の効果】
本発明によれば、堆積箱に収納されたカード類の貼り付きや摩擦係数のばらつきがある場合でも、繰り出しミスを生じることなく繰り出すことが可能なカード類発行機構を提供することができる。
【図面の簡単な説明】
【図１】本発明の一実施例をの主要部分の構成図である。
【図２】図１の分離状態詳細図である。
【図３】本発明の一実施例である明細票発行装置の全体概略図である。
【図４】従来のカード類発行機構の詳細図である。
【図５】図１におけるバネの構成図である。
【図６】従来と本発明のバネによる力の比較図である。
【符号の説明】
１‥ゲート、１ａ，１ｂ‥ゲートの穴に設けられた凸部、２‥繰り出しローラ、３ａ，３ｂ‥カード、４‥カード類、８，９‥プーリ、１０‥堆積箱、１１‥底板、１３‥バネ、１５‥ガイド板、２０，２０ａ‥振込券発行機構、２２‥磁気カード機構、２５‥読み取り部、２６‥印字部、３０‥カード出入り口、３１‥トレー、３５‥カード搬送台
【図１】
0003663423.tif 000002
【図２】
0003663423.tif 000003
【図３】
0003663423.tif 000004
【図４】
0003663423.tif 000005
【図５】
0003663423.tif 000006
【図６】
0003663423.tif 000007